(57)【要約】      （修正有）【課題】立木の傾きを調べたり、伐倒方向を決めるのにラインレーザーを使用することで、受け口の作成作業を容易にサポートする間伐材等の伐倒補助装置を提供する。【解決手段】伐倒する木の伐倒方向を決め、ラインレーザー発生器をチェーンソー６ではなく伐採する立木に固定し、ラインレーザー発生器からのレーザー光５は、これから作成する受け口の部分とその延長線上に沿って照射される。チェーンソーの鋸刃本体７に付けた直線（または複数点）の目印８とレーザー光が一致するようにチェーンソーを保持し、受け口を形成する。受け口を作る部分とチェーンソーの目印の両方にレーザー光を当てることで、チェーンソーの鋸刃から視線を外すことなく安全に作業を行うことができる。【選択図】図３
2018082689.tif 000002
【特許請求の範囲】
【請求項１】
直線又は十字線を発光するラインレーザー発生器及び該ラインレーザー発生器に取り付けて伐倒する立木に前記ラインレーザー発生器を固定する取付部材と、チェーンソー及び該チェーンソーの鋸刃本体に付けたガイド用ラインとなる目印と、からなり、前記ラインレーザー発生器から照射されるラインレーザー光を前記鋸刃本体に付けた目印に合わせて伐倒方向に受け口を形成することを特徴とする間伐材等の伐倒補助装置。
【請求項２】
前記ラインレーザー発生器に発光方向可変部材を取り付け、前記発光方向可変部材を上下方向に回転することにより、レーザー光の角度調整が可能となり、立木の傾きを調べたり、伐倒する立木の伐倒方向を決めたりできることを特徴とする請求項１記載の間伐材等の伐倒補助装置。
【請求項３】
前記チェーンソーの鋸刃本体の目印は、直線または複数点でチェーンソーのガイド用ラインとなっていることを特徴とする請求項１記載の間伐材等の伐倒補助装置。
【発明の詳細な説明】
【技術分野】
【０００１】
本発明は、間伐材等の伐倒の際に、立木の傾きを調べたり、伐倒方向を決めるのにラインレーザーを利用し、重要な受け口の作成作業を正しく行えるように補助する間伐材等の伐倒補助装置に関する。
【背景技術】
【０００２】
間伐材等の伐倒作業では、伐倒方向を決める受け口の作成作業は、非常に重要な作業である。伐倒作業を行う際に、現状では受け口を作った後に、その方向が正しく作成されているかどうかを確認するための簡単な治具が存在する。作業者等の自作によるものがほとんどで、直尺やＴ定規のようなもので、レーザーポインター等を使って作った受け口の奥に定規等を合わせて方向を確認するだけのものである。伐倒作業では想定した伐倒方向に正しく倒れないなどして作業者がけがを負ったり、場合によっては死亡事故にあったりするケースが多く発生している。
【０００３】
最近チェーンソーメーカーＳＴＩＨＬ社がレーザーポインターをチェーンソーの取手部分に取り付けて受け口の作成作業をサポートする商品を販売している。取手に付けたレーザーポインターを地面等の目印に常に合わせながらチェーンソーを操作することで伐倒方向に向けた受け口を作る作業を補助するというものである。
このレーザーポインターは、手に持った状態のチェーンソーに取り付けているため、チェーンソーとともに動き、常に地面と鋸刃の部分を交互に見ながら作業をすることになり作業性がいいとは云えなかった。
【０００４】
他方、ラインレーザーを利用し、ゴルフのパッテイング練習を行うにあたって構えた時や、ストロークをした時にパターのフェースが正しい方向を向いているかを確認することができるパッテイング練習補助器が知られている（特許文献１を参照）。
この公知技術は、ラインレーザー投光器をパターヘッドのすぐ上に、またバッテリーケースをグリップに取り付け、ラインレーザー光の方向によりフェース面のパッテイング方向を確認するパッテイング練習補助器である。
【０００５】
本出願人は、立木に受け口を作る作業を正しく行えるようにするため、上記ラインレーザーを用い、ラインレーザーを立木に取り付けて使用することで、点で指示するより線で指示するほうが、伐倒方向が分かりやすく受け口を作る作業を視覚的に明確にサポートすることができる点に着目した。
【先行技術文献】
【特許文献】
【０００６】
【特許文献１】特開２００８−２５３７１３号公報
【発明の概要】
【発明が解決しようとする課題】
【０００７】
本発明は、立木の傾きを調べたり、伐倒方向を決めるのにラインレーザーを使用することで、受け口の作成作業を容易にサポートする間伐材等の伐倒補助装置を提供することを目的とする。
【課題を解決するための手段】
【０００８】
本発明の間伐材等の伐倒補助装置は、直線又は十字線を発光するラインレーザー発生器及び該ラインレーザー発生器を伐倒する木に固定する取付部材と、チェーンソー及び該チェーンソーの鋸刃本体に付けた目印と、から構成される。
前記ラインレーザー発生器は、伐倒する木の伐倒方向を決め、この伐倒方向に合わせて前記取付部材を介して伐倒する木に固定する。
前記チェーンソーの鋸刃本体の目印は、直線および／または複数点でチェーンソーのガイド用ラインとなっている。
【発明の効果】
【０００９】
本発明の間伐材等の伐倒補助装置は、ラインレーザー発生器をチェーンソーではなく伐倒する木に固定し、受け口を作る部分とチェーンソーの鋸刃本体の両方にラインレーザー光を当てることで、チェーンソーの鋸刃から視線を外すことなく安全に作業を行うことができる。
また、チェーンソーの鋸刃本体に付けた直線および／または複数点の目印とラインレーザー光が一致するようにチェーンソーを保持すればよいだけなので作業性は大幅に向上できる。
ラインレーザー光は、直下のチェーンソーを照射するだけでなく上向きに変えるだけで伐倒方向を照射することができるため、伐倒した木がどの方向にどれくらいの距離まで倒れるかを明確に視認することができる。
【図面の簡単な説明】
【００１０】
【図１】伐倒する木の正面図である。
【図２】伐倒する木にラインレーザー発生器を取付けた状態の正面図である。
【図３】ラインレーザー光とチェーンソーの直線の目印との関係を示す説明図である。
【図４】ラインレーザー光とチェーンソーの複数点の目印との関係を示す説明図である。
【図５】ラインレーザー発生器により伐倒方向を示す状態の正面図である。
【図６】ラインレーザー発生器により立木の傾きを調べる状態の正面図である。
【図７】ラインレーザー発生器により受け口を示す状態の正面図である。
【図８】ラインレーザー発生器によりチェーンソーのガイドバーのラインに合わせた状態の正面図である。
【発明を実施するための形態】
【００１１】
本発明の間伐材等の伐倒補助装置の一実施例を添付図面に基づいて、以下に説明する。
本発明の間伐材等の伐倒補助装置は、図２の正面図に示すように、直線又は十字線を発光するラインレーザー発生器４及び該ラインレーザー発生器４を伐倒する木に固定する取付部材（図示省略）と、図３の説明図に示すチェーンソー６及び該チェーンソー６の鋸刃本体７に付けた目印８と、から構成される。
なお、ラインレーザーとは、レンズなどで恒常的にライン状の光を発生する場合と点状のレーザーを鏡等で走査してライン状に見せる場合の両方を包含する。
【００１２】
間伐材等の伐倒作業では、伐倒方向を決める受け口の作成作業は、非常に重要な作業である。
図１の正面図に示すように、伐倒する木の伐倒方向１を決め、この伐倒方向１に合わせて受け口２を形成し、反対側に追い口３を形成して木を切り倒す作業を行う。
伐倒作業では、受け口２が正しく形成されていないと想定した伐倒方向１に正しく倒れないなどして作業者がけがを負ったり、場合によっては死亡事故にあったりするケースが多く発生している。
【００１３】
図２に示すように、伐倒する木の伐倒方向１を決め、この伐倒方向１に合わせて前記取付部材（図示省略）を介して前記ラインレーザー発生器４を固定する。
前記ラインレーザー発生器４からのレーザー光５は、下向きにこれから作成する受け口２の部分とその延長線上に沿って照射される。
一方、図３の説明図に示すように、チェーンソー６の鋸刃本体７には直線の目印８が施されており、この目印８がチェーンソー６を操作する方向に対するチェーンソー６のガイド用ラインとなっている。
また、図４の説明図に示すように、チェーンソー６の鋸刃本体７には複数点の目印８が施されており、この目印８がチェーンソー６の鋸刃本体７の長手方向に対するチェーンソー６のガイド用ラインとなっている。
なお、図３及び図４に直線と複数点の目印８を別々に分けて説明しているが、両方の目印８をチェーンソー６の鋸刃本体７に付けてもよい。
【００１４】
また、前記ラインレーザー発生器４は、図５〜図８の正面図に示すように、前記ラインレーザー発生器４に取り付けた発光方向可変部材９によりレーザー光５の角度調整が可能であり、角度をずらして立木の傾きや木の倒れる延長方向を指し示すことができるし、十字線レーザーとしてチェーンソー６の鋸刃本体７が正しく位置されているかを示すこともできる。
【００１５】
次に、本発明の間伐材等の伐倒補助装置の操作動作を添付図面に基づいて、以下に説明する。
図５に示すように、伐倒する木の伐倒方向１を決め、この伐倒方向１に合わせてラインレーザー発生器４を取付部材１０により固定し、発光方向可変部材９のレーザー光５により伐倒方向１を示す。すなわち、前記ラインレーザー発生器４をチェーンソー６ではなく伐倒する木に前記取付部材１０を介して固定し、前記ラインレーザー発生器４からのレーザー光５は、伐倒方向１を示す。
また、図６に示すように、前記発光方向可変部材９を立木の頂上方向に向けて回転し、レーザー光５を立木に沿って照射し、立木の傾きを調べたりできる。
つぎに、図７に示すように、前記発光方向可変部材９を地面方向に向けて回転し、レーザー光５をこれから作成する受け口２の部分とその延長線上に沿って照射する。
そして、図８に示すように、前記チェーンソー６の鋸刃本体７に付けた直線および／または複数点の目印８とレーザー光５が一致するようにチェーンソー６を保持し、チェーンソー６の鋸刃から視線を外すことなく安全に受け口２を形成することができる。
【００１６】
前記レーザー光５は、直下のチェーンソー６の鋸刃本体７を照射するだけでなく発光方向可変部材９の上下方向の向きを変えるだけで立木の傾きを調べることや伐倒方向１を照射することができるため、伐倒した木がどの方向にどれくらいの距離まで倒れるかを明確に視認することができる。
図３に示すように、前記ラインレーザー発生器４をチェーンソー６ではなく伐倒する木に固定し、チェーンソー６の鋸刃本体７に付けた直線の目印８とレーザー光５が一致するようにチェーンソー６を保持すればよいだけなので作業性は大幅に向上できる。
また、図４に示すように、前記ラインレーザー発生器４を同様にチェーンソー６ではなく伐倒する木に固定し、チェーンソー６の鋸刃本体７に付けた複数点の目印８とレーザー光５が一致するようにチェーンソー６を保持すればよいだけなので作業性は大幅に向上できる。
【符号の説明】
【００１７】
１  伐倒方向
２  受け口
３  追い口
４  ラインレーザー発生器
５  レーザー光
６  チェーンソー
７  鋸刃本体
８  直線および／または複数点の目印
【図１】
2018082689.tif 000003
【図２】
2018082689.tif 000004
【図３】
2018082689.tif 000005
【図４】
2018082689.tif 000006
【図５】
2018082689.tif 000007
【図６】
2018082689.tif 000008
【図７】
2018082689.tif 000009
【図８】
2018082689.tif 000010